(57)【要約】      （修正有）【課題】非常時に大規模停電が起こった場合でもパーゴラ内が暗くなることで生じる不都合な状況を改善できるパーゴラを提供する。【解決手段】太陽電池アレイ２により生起された電力を用いて照明装置３によりパーゴラ１０内を照明して明るくできることで、遮へい体１によりパーゴラ１０内が暗くなって非常事態への対応がしにくくなったり、避難者が不安を感じたりするといった不都合な状況を改善することができる。【選択図】図２
2006070595.tif 000002
【特許請求の範囲】
【請求項１】
支柱と、支柱の上端に取り付けられ上面に傾斜面を備えた屋根部とを備え、必要に応じて前記屋根部の縁部に収納された遮へい体を下方に降下させて、前記屋根部及び前記遮へい体により内部への雨水や風の侵入を防止するパーゴラであって、前記屋根部の上面に太陽電池アレイが設けられると共に、前記屋根部の下面側に照明装置が設けられ、該照明装置は前記太陽電池アレイに太陽光が照射されて生起された電力により照明を行うものであることを特徴とするパーゴラ。
【請求項２】
更に前記太陽電池アレイにより生起された電力を蓄電する蓄電手段が設けられていることを特徴とする請求項１に記載のパーゴラ。
【発明の詳細な説明】
【技術分野】
【０００１】
本発明は、本発明は、公園や遊歩道沿いの休憩地点等に設置され、通常時は日射を防ぐ休息場所や藤棚として活用され、非常時に仮の避難所や連絡拠点等として活用可能なパーゴラに関するものである。
【背景技術】
【０００２】
従来、非常時に仮設避難所等として活用可能なパーゴラとしては、例えばパーゴラの支柱や梁の中に壁や屋根になるテント布やシャッターが収納され、必要な時にそれを引き出して柱間や梁間に張り巡らし、雨露をしのげる施設として使用でき、またテント布やシャッターを収納するときには自動的に巻き取ることが可能となされたパーゴラが開示されている（例えば特許文献１）。
【０００３】
【特許文献１】特開２００２−１９４９２４号公報
【発明の開示】
【発明が解決しようとする課題】
【０００４】
しかしながら、特許文献１に記載のような従来のパーゴラは、テント布やシャッター等の遮へい体を周囲に張り巡らすと、外界からの光が遮へいされてパーゴラ内が暗くなり、パーゴラ内で非常事態への対応がしにくくなったり避難者が不安を感じたりする恐れがある。その対策として商用電源等の外部電源を用いた照明装置を設けるのでは、非常事態時に大規模な停電が起こった場合、照明装置による照明を行うことができなくなる恐れがあった。
【０００５】
本発明は上記の如き課題に鑑みてなされたものであり、非常時に大規模停電が起こった場合でもパーゴラ内が暗くなることで生じる不都合な状況を改善できるパーゴラを提供せんとするものである。
【課題を解決するための手段】
【０００６】
上記目的を達成するため、本発明は以下のような構成としている。すなわち、本発明に係わるパーゴラは、支柱と、支柱の上端に取り付けられ上面に傾斜面を備えた屋根部とを備え、必要に応じて前記屋根部の縁部に収納された遮へい体を下方に降下させて、前記屋根部及び前記遮へい体により内部への雨水や風等の侵入を防止するパーゴラであって、前記屋根部の上面に太陽電池アレイが設けられると共に、前記屋根部の下面側に照明装置が設けられ、該照明装置は前記太陽電池アレイに太陽光が照射されて生起された電力により照明を行うものであることを特徴とするものである。
【０００７】
また本発明において、更に前記太陽電池アレイにより生起された電力を蓄電する蓄電手段が設けられていれば、平常時に蓄電手段に蓄電しておいた電力により非常事態が発生した際に即座に電力を使用することができるようになり好ましい。
【発明の効果】
【０００８】
本発明に係わるパーゴラによれば、非常時に大規模停電が起こった場合でも太陽電池アレイにより生起された電力を用いて照明装置によりパーゴラ内を照明して明るくできることで、パーゴラ内が暗くなって非常事態への対応がしにくくなったり、避難者が不安を感じたりするといった不都合な状況を改善することができる。
【発明を実施するための最良の形態】
【０００９】
本発明に係わる最良の実施の形態について、図面に基づき以下に具体的に説明する。
【００１０】
図１は、本発明に係わるパーゴラの、実施の一形態を示すもので、イ）は非常事態の発生時の側面図、ロ）は平面図である。パーゴラ１０は、地表から立設された円筒状の支柱４の上端付近に、取付金具Ｋを介して枠組みされて取り付けられた梁材６を用いて、ＦＲＰからなり傾斜面５１を備えた屋根部５が設けられている。屋根部５は、平面三角形の屋根板５２を四体用いて平面矩形に形成されたもので、屋根部５の傾斜面５１には、太陽電池セル２１を備え太陽光の照射により電力を生起する太陽電池アレイ２が取り付けられている。パーゴラ１０は主に公園や広場に設置され、平常時には、支柱４間は開放され、日除けを備えた休憩施設として用いられるが、地震発生時などの非常事態においては、屋根部５の縁部５２から下方に遮へい体１を降下させることで支柱４間に遮へい体１が張り巡らされ、屋根部５と相俟ってパーゴラ１０内に雨水や風等が侵入することを防止している。本実施形態において、遮へい体１はビニールシートであり、表面に赤十字が描画されることでパーゴラ１０内が医療施設となされていることが示されている。
【００１１】
図２は、図１・ロ）におけるＡ−Ａ断面を示すもので、遮へい体１の展開を説明する断面図である。遮へい体１は収納ロール１１に収納されており、梁材６の内側に収納ロール１１が取り付けられていることでパーゴラ１０の外観は通常のものと大差ないようになされている。遮へい体１の下端には引き出し棒１２が取り付けられ、引き出し棒１２を矢印Ｙの方向に押し下げることで遮へい体１が収納ロール１１から引き出され、ロ）に示す如く降下されて支柱４間に張り巡らされるようになされる。収納ロール１１内には遮へい体１を収納する方向に付勢力が付与されたバネ材が内蔵されており、ロ）に示す遮へい体１の展開状態から引き出し棒１２を僅かに下方に押し下げると、バネ材の付勢力により収納ロール１１内に遮へい体１が巻き取られるようになされている。引き出し棒１２には、地表に固定する手段を
【００１２】
屋根部５の下方には、屋根板５２を支持する斜梁材５３に取付部材Ｔを介して照明装置３が取り付けられている。太陽電池アレイ２に太陽光が照射されることにより生起された電力は、照明装置３に送られて照明を行う電力として用いられる。図３は、照明装置３付近の詳細を示す断面図であるが、照明装置３は駆体３１内に光源としてＬＥＤ３２が設けられたもので、ＬＥＤ３２により高輝度で且つ指向性の高い光が得られることで、例えば医療施設の場合では医療処置を行う周辺を重点的に照明し、医療処置の確実性を高めることに繋がる。また、太陽電池アレイ２により生起される電力は、パーゴラ１０内で照明装置３のみならず非常事態への迅速な対応に不可欠な通信機器等の動作に用いてもよい。
【００１３】
更に、パーゴラ１０には、キャパシター、鉛蓄電池、ニッケル−水素電池等の蓄電手段を備えておくのが好ましい。パーゴラ１０に設けられた太陽電池アレイ２により平常時にも発電が行われるが、かかる電力を蓄電手段に蓄電しておけば非常事態の発生時に即座に放電して照明装置３による照明を行うことができ、迅速な対応に繋げることができる。また、夜間における照明装置３の照明を行うことで、避難者の不安を大幅に和らげることにも繋がる。
【図面の簡単な説明】
【００１４】
【図１】本発明に係わるパーゴラの、実施の一形態を示す説明図である。
【図２】図１に示した実施形態における遮へい体の動作を示す断面図である。
【図３】図２の照明装置付近の詳細を示す断面図である。
【符号の説明】
【００１５】
１    遮へい体
２    太陽電池アレイ
３    照明装置
４    支柱
５    屋根部
５１  傾斜面
１０  パーゴラ
【図１】
2006070595.tif 000003
【図２】
2006070595.tif 000004
【図３】
2006070595.tif 000005